(57)【要約】      （修正有）【課題】表示パネルの逆チルト動作時に、表示パネルの下部と電子機器のサブパネルの下面との隙間を低減すること。【解決手段】サブパネルに対して進退するスライダ１１と、スライダ１１に回動可能に連結され、パネル枠３２の下部を回動可能に支持するリフトアーム１２と、スライダ１１に回動可能に連結されたダウンアーム１８と、ダウンアーム１８に回動可能に連結されたリヤアーム１４と、リヤアーム１４に回動可能に連結され、パネル枠３２の中間部を回動可能に支持するスウィングアーム１３とを備え、スライダ１１が後退して、リフトアーム１２を回動させて、パネル枠３２の下部を上方に移動させながら、表示パネルを前傾させ、スウィングアーム１３とリヤアーム１４とを介してさらに前傾させる。【選択図】図２
2020024295.tif 000002
【特許請求の範囲】
【請求項１】
表示パネルが配置された電子機器本体の表面に対して進退するスライダ部材と、
前記スライダ部材に回動可能に連結され、前記表示パネルの下部を回動可能に支持する第一可動部材と、
前記スライダ部材に回動可能に連結された第二可動部材と、
前記第二可動部材に回動可能に連結された第一連結部材と、
前記第一連結部材に回動可能に連結され、前記表示パネルの中間部を回動可能に支持する第二連結部材と、
を備え、
前記スライダ部材は、前記電子機器本体の表面に対して後退することにより、前記第一可動部材を回動させて、前記表示パネルの下部を上方に移動させながら、前記表示パネルの表示面を下にして前傾させ、
前記第一連結部材と前記第二連結部材とを介して前記表示パネルをさらに前傾させる、
ことを特徴とする表示パネル駆動機構。
【請求項２】
前記第一可動部材は、前記スライダ部材に第一軸を中心に回動可能に連結され、前記表示パネルの下部を第二軸を中心に回動可能に支持し、
前記第二可動部材は、前記スライダ部材に第三軸を中心に回動可能に連結され、
前記第一連結部材は、前記第二可動部材に第四軸を中心に回動可能に連結され、
前記第二連結部材は、前記第一連結部材に第五軸を中心に回動可能に連結され、前記表示パネルの中間部を第六軸を中心に回動可能に支持し、
前記スライダ部材は、前記電子機器本体の表面に対して後退することにより、前記第一可動部材を前記第一軸を中心に回動させて、前記第二軸を上方に移動させて、前記表示パネルを前傾させ、
前記第二可動部材は、前記第三軸を中心に回動することにより、前記第一連結部材と前記第二連結部材とを介して前記第六軸を押し下げながら、前記表示パネルを前傾させる、
請求項１に記載の表示パネル駆動機構。
【請求項３】
前記電子機器本体に配置されたストッパ部材、
を備え、
前記第一可動部材は、前記ストッパ部材と接触可能な突起部を有し、
前記突起部は、前記ストッパ部材と接触することにより、前記第一可動部材の前記スライダ部材に連動した進退を規制して、
前記スライダ部材は、前記電子機器本体の表面に対して後退して、前記突起部と前記ストッパ部材とを接触させて前記第一可動部材の後方への移動を規制した状態で、前記表示パネルを前傾させる、
請求項１または２に記載の表示パネル駆動機構。
【請求項４】
前記第五軸は、前記電子機器本体の表面に形成されたガイド溝に沿って上下動する、
請求項２に記載の表示パネル駆動機構。
【請求項５】
表示パネル、
および、
表示パネルが配置された電子機器本体の表面に対して進退するスライダ部材と、
前記スライダ部材に回動可能に連結され、前記表示パネルの下部を回動可能に支持する第一可動部材と、
前記スライダ部材に回動可能に連結された第二可動部材と、
前記第二可動部材に回動可能に連結された第一連結部材と、
前記第一連結部材に回動可能に連結され、前記表示パネルの中間部を回動可能に支持する第二連結部材と、を有する表示パネル駆動機構と、
を備え、
前記スライダ部材は、前記電子機器本体の表面に対して後退することにより、前記第一可動部材を回動させて、前記表示パネルの下部を上方に移動させながら、前記表示パネルの表示面を下にして前傾させ、
前記第一連結部材と前記第二連結部材とを介して前記表示パネルをさらに前傾させる、
ことを特徴とする表示ユニット。
【請求項６】
電子機器の電子機器本体の表面を有する筐体、
表示パネル、
および、
表示パネルが配置された電子機器本体の表面に対して進退するスライダ部材と、
前記スライダ部材に回動可能に連結され、前記表示パネルの下部を回動可能に支持する第一可動部材と、
前記スライダ部材に回動可能に連結された第二可動部材と、
前記第二可動部材に回動可能に連結された第一連結部材と、
前記第一連結部材に回動可能に連結され、前記表示パネルの中間部を回動可能に支持する第二連結部材と、を有する表示パネル駆動機構と、
を備え、
前記スライダ部材は、前記電子機器本体の表面に対して後退することにより、前記第一可動部材を回動させて、前記表示パネルの下部を上方に移動させながら、前記表示パネルの表示面を下にして前傾させ、
前記第一連結部材と前記第二連結部材とを介して前記表示パネルをさらに前傾させる、
ことを特徴とする電子機器。
【発明の詳細な説明】
【技術分野】
【０００１】
本発明は、表示パネル駆動機構、表示ユニット、および、電子機器に関する。
【背景技術】
【０００２】
例えば、ＡＶ一体型のカーナビゲーションシステムまたはカーオーディオなどの車両用の電子機器は、乗員の目線より上に取付けられる場合や、傾斜させて取付けられる場合がある。このような場合、電子機器の姿勢を調節して視認性を確保したり、表示パネルにおける太陽光の反射を抑制したりするために、表示パネルの表示面を下向きに傾倒させる逆チルト動作を行う技術が知られている（例えば、特許文献１、特許文献２参照）。
【先行技術文献】
【特許文献】
【０００３】
【特許文献１】特開２００６−１２３７５１号公報
【特許文献２】実用新案登録第３１９３６９０号公報
【発明の概要】
【発明が解決しようとする課題】
【０００４】
表示パネルの逆チルト動作時に、表示パネルの下部が上方に移動して、表示パネルの下部とサブパネルの下面との隙間が広くなると、電子機器の内部がユーザから視認可能になるおそれがある。また、隙間が広くなることにより、埃の進入や、手指のような異物の挟み込みに留意しなくてはならない。
【０００５】
本発明は、上記に鑑みてなされたものであって、表示パネルの逆チルト動作時に、表示パネルの下部と電子機器のサブパネルの下面との隙間を低減した表示パネル駆動機構、表示ユニット、および、電子機器を提供することを目的とする。
【課題を解決するための手段】
【０００６】
上述した課題を解決し、目的を達成するために、本発明に係る表示パネル駆動機構は、表示パネルが配置された電子機器本体の表面に対して進退するスライダ部材と、前記スライダ部材に回動可能に連結され、前記表示パネルの下部を回動可能に支持する第一可動部材と、前記スライダ部材に回動可能に連結された第二可動部材と、前記第二可動部材に回動可能に連結された第一連結部材と、前記第一連結部材に回動可能に連結され、前記表示パネルの中間部を回動可能に支持する第二連結部材と、を備え、前記スライダ部材は、前記電子機器本体の表面に対して後退することにより、前記第一可動部材を回動させて、前記表示パネルの下部を上方に移動させながら、前記表示パネルの表示面を下にして前傾させ、前記第一連結部材と前記第二連結部材とを介して前記表示パネルをさらに前傾させる、ことを特徴とする。
【０００７】
上述した課題を解決し、目的を達成するために、本発明に係る表示ユニットは、表示パネル、および、表示パネルが配置された電子機器本体の表面に対して進退するスライダ部材と、前記スライダ部材に回動可能に連結され、前記表示パネルの下部を回動可能に支持する第一可動部材と、前記スライダ部材に回動可能に連結された第二可動部材と、前記第二可動部材に回動可能に連結された第一連結部材と、前記第一連結部材に回動可能に連結され、前記表示パネルの中間部を回動可能に支持する第二連結部材と、を有する表示パネル駆動機構と、を備え、前記スライダ部材は、前記電子機器本体の表面に対して後退することにより、前記第一可動部材を回動させて、前記表示パネルの下部を上方に移動させながら、前記表示パネルの表示面を下にして前傾させ、前記第一連結部材と前記第二連結部材とを介して前記表示パネルをさらに前傾させる、ことを特徴とする。
【０００８】
上述した課題を解決し、目的を達成するために、本発明に係る電子機器は、電子機器の電子機器本体の表面を有する筐体、表示パネル、および、表示パネルが配置された電子機器本体の表面に対して進退するスライダ部材と、前記スライダ部材に回動可能に連結され、前記表示パネルの下部を回動可能に支持する第一可動部材と、前記スライダ部材に回動可能に連結された第二可動部材と、前記第二可動部材に回動可能に連結された第一連結部材と、前記第一連結部材に回動可能に連結され、前記表示パネルの中間部を回動可能に支持する第二連結部材と、を有する表示パネル駆動機構と、を備え、前記スライダ部材は、前記電子機器本体の表面に対して後退することにより、前記第一可動部材を回動させて、前記表示パネルの下部を上方に移動させながら、前記表示パネルの表示面を下にして前傾させ、前記第一連結部材と前記第二連結部材とを介して前記表示パネルをさらに前傾させる、ことを特徴とする。
【発明の効果】
【０００９】
本発明によれば、表示パネルの逆チルト動作時に、表示パネルの下部と電子機器のサブパネルの下面との隙間を低減したすることができるという効果を奏する。
【図面の簡単な説明】
【００１０】
【図１】図１は、実施形態に係る電子機器を車両に取り付けた状態を示す斜視図である。
【図２】図２は、実施形態に係る表示ユニットを示す斜視図である。
【図３】図３は、実施形態に係る表示ユニットの正立状態を示す側面図である。
【図４】図４は、実施形態に係る表示ユニットの正立状態を示す側面図である。
【図５】図５は、実施形態に係る表示ユニットの正立状態を示す側面図である。
【図６】図６は、実施形態に係る表示ユニットの駆動ユニットを示す平面図である。
【図７】図７は、実施形態に係る表示ユニットの第二駆動ユニットを示す斜視図である。
【図８】図８は、実施形態に係る表示ユニットの第二駆動ユニットを示す斜視図である。
【図９】図９は、駆動ユニットの制御の一例を示す図である。
【図１０】図１０は、実施形態に係る表示ユニットの駆動ユニットの制御部の一例を示すブロック図である。
【図１１】図１１は、実施形態に係る表示ユニットのチルト動作を示す側面図である。
【図１２】図１２は、実施形態に係る表示ユニットのチルト動作を示す側面図である。
【図１３】図１３は、実施形態に係る表示ユニットのチルト動作を示す側面図である。
【図１４】図１４は、実施形態に係る表示ユニットのチルト動作を示す側面図である。
【図１５】図１５は、実施形態に係る表示ユニットのチルト動作を示す側面図である。
【図１６】図１６は、実施形態に係る表示ユニットの正立状態を示す側面図である。
【図１７】図１７は、実施形態に係る表示ユニットの逆チルト動作を示す側面図である。
【図１８】図１８は、実施形態に係る表示ユニットの逆チルト動作を示す側面図である。
【図１９】図１９は、実施形態に係る表示ユニットの逆チルト動作を示す側面図である。
【図２０】図２０は、実施形態に係る表示ユニットの逆チルト動作を示す側面図である。
【図２１】図２１は、実施形態に係る表示ユニットの逆チルト動作を示す側面図である。
【図２２】図２２は、実施形態に係る表示ユニットの逆チルト動作を示す側面図である。
【図２３】図２３は、実施形態に係る表示ユニットの駆動ユニットの他の例を示す斜視図である。
【図２４】図２４は、実施形態に係る表示ユニットの駆動ユニットの他の例を示す斜視図である。
【発明を実施するための形態】
【００１１】
以下に添付図面を参照して、本発明に係る表示パネル駆動機構１０を備えた電子機器１の実施形態を詳細に説明する。なお、以下の実施形態により本発明が限定されるものではない。
【００１２】
以下の説明においては、電子機器１を車両の運転席の前方に搭載した状態で各方向を定義する。前後方向とは、車両直進時の進行方向と平行な方向であり、運転席側に向かう方向を前後方向の「前」、前方ウインドシールド側に向かう方向を前後方向「後」とする。前後方向を、Ｘ軸方向とする。左右方向とは、前後方向に対して水平面において直交する方向である。運転席側から見て、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および鉛直方向は、３次元で直交する。
【００１３】
また、以下の説明においては、電子機器１の左側面を図示して説明するが、右側面にも同様に部材が配置されている。
【００１４】
図１は、実施形態に係る電子機器を車両に取り付けた状態を示す斜視図である。図２は、実施形態に係る表示ユニットを示す斜視図である。図３は、実施形態に係る表示ユニットの正立状態を示す側面図である。図４は、実施形態に係る表示ユニットの正立状態を示す側面図である。図５は、実施形態に係る表示ユニットの正立状態を示す側面図である。電子機器１は、記憶媒体から情報を読み取る読取ユニット２と、読み取った情報を表示させる表示ユニット３と、表示パネル駆動機構１０とを有する。電子機器１の左側と右側とは同様の機構を有しているため、電子機器１の左側について図示し、右側の記載を省略している。なお、図２において、読取ユニット２は、直方体状の箱状に形成された筐体（電子機器本体）のうちの左側面のみを筐体２１として二点鎖線で図示し、他の面は省略している。電子機器１は、例えば、ＡＶ一体型のカーナビゲーションシステムまたはカーオーディオなどである。
【００１５】
読取ユニット２は、記憶媒体が装着される図示しないメディアスロットが配置され、記憶媒体から情報を読み取る。読取ユニット２は、記憶媒体から読み取った情報と、表示パネルで検出された操作情報とに基づいて、図示しない制御部を介して電子機器１の各部に制御信号を出力する。読取ユニット２は、筐体２１を有する。
【００１６】
筐体２１は、例えば、クラスタパネル、センターコンソール、インストルメントパネルに取り付けられている。
【００１７】
筐体２１は、サブパネル２２の近傍に円柱状の軸２１ａを有する。軸２１ａは、リリースアーム（リリース部材）１７を回動可能に支持する。軸２１ａは、中心軸がＹ軸方向と平行な方向に沿っている。軸２１ａは、Ｙ軸方向と平行な方向に沿って配置される。
【００１８】
筐体２１は、表示ユニット３の表示パネルと向かい合うサブパネル（電子機器本体の表面）２２が配置される。サブパネル２２は、正面（表面）に向かって開口している。サブパネル２２の正面には、記憶媒体が装着されるメディアスロットが配置される。サブパネル２２の開口の内周面には、Ｚ軸方向に沿って延びるガイド溝２３を有する。
【００１９】
ガイド溝２３は、表示ユニット３のチルト動作時に、軸（第五軸）１３ａをガイドする。ガイド溝２３は、軸１３ａがスライド可能に配置されている。ガイド溝２３は、例えば、図示のように湾曲形状に形成されていてもよい。ガイド溝２３の形状は、表示ユニット３の軌道に応じた形状に形成されていればよく、図示の形状に限定されない。
【００２０】
表示ユニット３は、表面に配置された表示パネルの表示面３１と、表示パネルの枠部材であるパネル枠３２と、表示ユニット３の姿勢を変化させる表示パネル駆動機構１０とを有する。表示ユニット３は、表示パネル駆動機構１０によって、正立状態にする正立動作と、逆チルト状態にする逆チルト動作と、チルト状態にするチルト動作とを行う。正立状態とは、表示ユニット３がサブパネル２２と平行な方向に沿って起立した状態である。逆チルト状態とは、表示ユニット３が表示面３１を下向きにして、サブパネル２２に対して傾いた状態である。チルト状態とは、表示ユニット３が表示面３１を上向きにして、サブパネル２２に対して傾いた状態である。
【００２１】
表示ユニット３が正立状態または逆チルト状態のとき、表示ユニット３は、読取ユニット２に対して閉じた状態である。言い換えると、表示ユニット３が正立状態または逆チルト状態のとき、サブパネル２２は表示ユニット３で覆われている。
【００２２】
表示ユニット３のチルト動作時に、表示ユニット３は、読取ユニット２のサブパネル２２のガイド溝２３に沿ってスライドし開閉する。表示ユニット３がチルト状態のとき、読取ユニット２は開いた状態で、サブパネル２２が露出する。表示ユニット３は、下部がサブパネル２２から遠ざかりながら、上部がサブパネル２２に沿って下側にスライドすることで、サブパネル２２に対して開いた状態となる。表示ユニット３は、下部がサブパネル２２に近づきながら、上部がサブパネル２２に沿って上側にスライドすることでサブパネル２２に対して閉じた状態となる。
【００２３】
パネル枠３２は、側面の下部に円柱状の軸（第二軸）３２ａを有する。軸３２ａは、中心軸がＹ軸方向と平行な方向に沿っている。軸３２ａには、リフトアーム（第一可動部材）１２の下部が回動可能に配置される。
【００２４】
パネル枠３２は、側面の中央上部に円柱状の軸（第六軸）３２ｂを有する。軸３２ｂは、軸３２ａより上方に配置される。軸３２ｂは、中心軸がＹ軸方向と平行な方向に沿っている。軸３２ｂには、スウィングアーム（第二連結部材）１３の下部が回動可能に配置される。
【００２５】
パネル枠３２は、中央下部にストッパ３３が配置される。ストッパ３３は、軸３２ｂの下側で、軸３２ａの上側に配置されている。ストッパ３３は、ロックスライダ（ロック部材）１６に接触して下方への移動を規制する。
【００２６】
表示パネル駆動機構１０は、表示ユニット３をチルト動作させたり、逆チルト動作させたりする。表示パネル駆動機構１０は、スライダ（スライダ部材、チルト機構）１１と、リフトアーム１２と、スウィングアーム１３と、リヤアーム（第一連結部材）１４と、リフトストッパ（ストッパ部材）１５と、ロックスライダ１６と、リリースアーム１７と、ダウンアーム（第二可動部材）１８と、リフトガイドアーム（逆チルト機構）１９と、駆動ユニット９とを有する。なお、チルト機構は、スライダ１１の他に、チルト動作に使用する他の部材、例えば、リフトアーム１２を含む。逆チルト機構は、リフトガイドアーム１９の他に、逆チルト動作に使用する他の部材、例えば、スライダ１１とリフトアーム１２とスウィングアーム１３とリヤアーム１４とリフトストッパ１５とロックスライダ１６とリリースアーム１７とダウンアーム１８とを含む。
【００２７】
スライダ１１は、サブパネル２２に対してＸ軸方向に進退する。スライダ１１は、第一駆動ユニット９１（図６参照）で駆動され、サブパネル２２に対して前進したり、サブパネル２２に対して後退したりする。スライダ１１は、Ｘ軸方向に長い矩形の板状に形成される。
【００２８】
スライダ１１には、前部に円柱状の軸（第三軸）１１ａが配置される。軸１１ａは、中心軸がＹ軸方向と平行な方向に沿っている。軸１１ａには、ダウンアーム１８が回動可能に配置されている。スライダ１１がサブパネル２２に対して前進すると、軸１１ａが前進する。スライダ１１がサブパネル２２に対して後退すると、軸１１ａが後退する。
【００２９】
スライダ１１は、前部から前上方に延びる延在部１１１を有する。延在部１１１は、軸１１ａを介してスライダ１１と連結されている。延在部１１１は、スライダ１１と一体に進退する。延在部１１１には、リフトアーム１２が回動可能に連結されている。
【００３０】
リフトアーム１２は、パネル枠３２の下部を回動可能に支持する。リフトアーム１２は、スライダ１１に回動可能に連結される。本実施形態においては、後述のようにリフトアーム１２はスライダ１１の進退動作を駆動源として回動するが、他の例としてリフトアーム１２を第二駆動ユニット９５（図６参照）によって直接駆動してもよい。
【００３１】
リフトアーム１２には、中央上部に円柱状の軸（第一軸）１２ａが配置される。軸１２ａは、中心軸がＹ軸方向と平行な方向に沿っている。軸１２ａは、表示ユニット３の正立状態において、ダウンアーム１８の軸（第四軸）１８ａと同一軸線上に位置する。軸１２ａには、スライダ１１の延在部１１１が回動可能に配置される。リフトアーム１２は、軸１２ａを中心に回動可能である。リフトアーム１２には、図示しないねじりコイルバネによって、軸１２ａを中心に時計回りの回転力が付勢される。言い換えると、リフトアーム１２には、パネル枠３２に対して閉じる方向の回転力が付勢される。
【００３２】
リフトアーム１２には、中央下部に円柱状の突起部１２ｂが配置される。突起部１２ｂは、Ｙ軸方向に突設される。突起部１２ｂは、軸１２ａより下方に配置される。突起部１２ｂは、リフトアーム１２が後方に移動した際に、リフトストッパ１５と接触可能な位置に配置されている。突起部１２ｂは、リフトストッパ１５と接触することにより、スライダ１１の進退に連動したリフトアーム１２の進退を規制する。
【００３３】
リフトアーム１２は、上部にロック溝１２１を有する。ロック溝１２１は、上方に向かって開口している。ロック溝１２１には、ロックスライダ１６の軸１６ａが進退可能に係合する。ロック溝１２１にロックスライダ１６の軸１６ａが位置するとき、ロックスライダ１６によってリフトアーム１２の回動が規制される。ロック溝１２１からロックスライダ１６の軸１６ａが外れているとき、ロックスライダ１６によるリフトアーム１２の回動規制が解除される。
【００３４】
スウィングアーム１３は、パネル枠３２を回動可能に支持する。スウィングアーム１３は、軸３２ｂを介してパネル枠３２の中央上部を回動可能に支持する。スウィングアーム１３は、リヤアーム１４と回動可能に連結される。
【００３５】
スウィングアーム１３には、上部に円柱状の軸１３ａが配置される。軸１３ａは、中心軸がＹ軸方向と平行な方向に沿っている。軸１３ａは、サブパネル２２のガイド溝２３にスライド可能に係合する。軸１３ａには、リヤアーム１４の上部が回動可能に連結される。
【００３６】
スウィングアーム１３には、中間部に円柱状の軸１３ｂが配置される。軸１３ｂは、軸１３ａより下方に配置されている。軸１３ｂは、中心軸がＹ軸方向と平行な方向に沿っている。軸１３ｂは、ロックスライダ１６のガイド溝１６１に進退可能に係合する。
【００３７】
スウィングアーム１３は、図示しないねじりコイルバネによって、軸３２ｂを中心に時計回りの回転力が付勢される。言い換えると、スウィングアーム１３は、パネル枠３２に対して閉じる方向の回転力が付勢される。
【００３８】
リヤアーム１４は、スウィングアーム１３とダウンアーム１８とに連結される。リヤアーム１４の上部は、軸１３ａを中心に回動可能にスウィングアーム１３によって支持される。リヤアーム１４の下部は、軸１８ａを中心に回動可能にダウンアーム１８によって支持される。
【００３９】
リフトストッパ１５は、筐体２１に配置される。リフトストッパ１５は、リフトアーム１２の後方への移動を規制する。リフトストッパ１５は、リフトアーム１２が後方に移動した際に、突起部１２ｂと接触可能な位置に配置される。
【００４０】
ロックスライダ１６は、パネル枠３２に対して上下方向に移動可能に配置される。ロックスライダ１６は、リフトアーム１２の回動とスウィングアーム１３の回動とを規制する。ロックスライダ１６は、下方に位置するとき、リフトアーム１２の回動とスウィングアーム１３の回動とを規制する。ロックスライダ１６は、上方に位置するとき、リフトアーム１２とスウィングアーム１３の回動規制を解除する。ロックスライダ１６は、図示しない引張コイルバネによって下方に付勢される。
【００４１】
ロックスライダ１６は、下部に円柱状の軸１６ａが配置される。軸１６ａは、中心軸がＹ軸方向と平行な方向に沿っている。軸１６ａは、リリースアーム１７のガイド溝１７１に進退可能に係合する。軸１６ａは、リフトアーム１２のロック溝１２１に進退可能に係合する。
【００４２】
ロックスライダ１６は、上部にガイド溝１６１を有する。ガイド溝１６１は、スウィングアーム１３の軸１３ｂが進退可能である。ガイド溝１６１は、Ｌ字型に形成される。ガイド溝１６１は、一方の端部がロック部１６２であり、他方の端部が開口部１６３である。ロック部１６２は、開口部１６３より上部に配置される。ロック部１６２にスウィングアーム１３の軸１３ｂが位置すると、スウィングアーム１３の回動が規制される。開口部１６３は、後方に向かって開口している。開口部１６３からスウィングアーム１３の軸１３ｂがガイド溝１６１に進入したり退出したりする。ガイド溝１６１からスウィングアーム１３の軸１３ｂが退出して外れると、スウィングアーム１３の回動規制が解除される。
【００４３】
リリースアーム１７は、ロックスライダ１６を、リフトアーム１２の回動とスウィングアーム１３の回動とを規制する位置と、リフトアーム１２の回動規制とスウィングアーム１３の回動規制とを解除する位置とに移動させる。リリースアーム１７は、ロックスライダ１６を上下方向に移動させる。リリースアーム１７は、軸２１ａを中心に筐体２１に回動可能に配置される。
【００４４】
リリースアーム１７は、軸２１ａを中心に一方の端部に円柱状の軸１７ａを有する。軸１７ａは、中心軸がＹ軸方向と平行な方向に沿っている。軸１７ａは、リフトガイドアーム１９のガイド溝１９１に進退可能に係合する。
【００４５】
リリースアーム１７は、軸２１ａを中心に他方の端部にガイド溝１７１を有する。ガイド溝１７１は、ロックスライダ１６の軸１６ａが進退可能に係合する。ガイド溝１７１は、前方に向かって開口している。ガイド溝１７１は、軸１６ａの軌道に沿った形状に形成される。ガイド溝１７１は、保持部１７２と、カム部１７３とを有する。保持部１７２とカム部１７３とは連続している。保持部１７２は、コの字形状に形成される。カム部１７３は、開口に面して配置される。カム部１７３は、軸１６ａをガイドするカム形状に形成される。
【００４６】
このように構成されたリリースアーム１７は、リフトガイドアーム１９によって回動される。ガイド溝１７１にロックスライダ１６の軸１６ａが係合した状態で、リフトガイドアーム１９が時計回りに回動してリリースアーム１７が反時計回りに回動すると、ロックスライダ１６が上方に移動する。
【００４７】
ガイド溝１７１にロックスライダ１６の軸１６ａが係合した状態で、リフトガイドアーム１９が反時計回りに回動してリリースアーム１７が時計回りに回動すると、ロックスライダ１６が下方に移動する。
【００４８】
ダウンアーム１８は、軸１１ａを介してスライダ１１に回動可能に配置される。ダウンアーム１８は、第二駆動ユニット９５によってリフトガイドアーム１９が回動することによって回動する。ダウンアーム１８は、リヤアーム１４に連結される。
【００４９】
ダウンアーム１８は、前側の端部に円柱状の軸１８ａが配置される。軸１８ａは、中心軸がＹ軸方向と平行な方向に沿っている。軸１８ａには、リヤアーム１４が回動可能に配置される。
【００５０】
ダウンアーム１８は、後側の端部に円柱状の軸１８ｂが配置される。軸１８ｂは、中心軸がＹ軸方向と平行な方向に沿っている。軸１８ｂは、リフトガイドアーム１９の保持部１９２に進退可能で、リフトアーム１２が後方に移動すると、保持部１９２に保持される。言い換えると、表示ユニット３の正立状態においては、軸１８ｂは、保持部１９２から離間している。
【００５１】
このように構成されたダウンアーム１８は、軸１８ｂを介して、リフトガイドアーム１９に追従して軸１１ａを中心に回動する。ダウンアーム１８が回動すると、軸１８ａを介して、ダウンアーム１８の前側の端部の上下動に連動してリヤアーム１４が上下動する。
【００５２】
リフトガイドアーム１９は、筐体２１に回動可能に配置される。リフトガイドアーム１９は、第二駆動ユニット９５によって駆動される。リフトガイドアーム１９は、リリースアーム１７とダウンアーム１８とを駆動する。リフトガイドアーム１９は、ガイド溝１９１と、保持部１９２とを有する。
【００５３】
ガイド溝１９１は、軸１７ａの軌道に応じた形状に形成される。ガイド溝１９１には、リリースアーム１７の軸１７ａが移動可能に配置される。
【００５４】
保持部１９２は、ダウンアーム１８の軸１８ｂを保持可能である。保持部１９２は、端部が開口している。言い換えると、保持部１９２には、開口から軸１８ｂが進退する。保持部１９２に軸１８ｂが位置した状態でリフトガイドアーム１９が回動すると、ダウンアーム１８が回動する。保持部１９２から軸１８ｂが離間しているとき、リフトガイドアーム１９とダウンアーム１８とは、独立して動作する。
【００５５】
このように構成されたリフトガイドアーム１９が時計回りに回動すると、リリースアーム１７の軸１７ａがガイド溝１９１に沿って移動して、ガイド溝１７１の開口が上向きになる。リフトガイドアーム１９が反時計回りに回動すると、リリースアーム１７の軸１７ａがガイド溝１９１に沿って移動して、ガイド溝１７１の開口が下向きになる。
【００５６】
軸１８ｂが保持部１９２に保持された状態でリフトガイドアーム１９が時計回りに回動すると、ダウンアーム１８は、時計回りに回動する。軸１８ｂが保持部１９２に保持された状態でリフトガイドアーム１９が反時計回りに回動すると、ダウンアーム１８は、反時計回りに回動する。
【００５７】
図６ないし図１０を参照して、表示パネル駆動機構１０を駆動する駆動ユニット９について説明する。図６は、実施形態に係る表示ユニットの駆動ユニットを示す平面図である。図７は、実施形態に係る表示ユニットの第二駆動ユニットを示す斜視図である。図８は、実施形態に係る表示ユニットの第二駆動ユニットを示す斜視図である。図９は、駆動ユニットの制御の一例を示す図である。なお、図９は、駆動ユニット９による制御の一例を示すものであって、本実施形態における実際の表示パネル駆動機構１０の制御の具体例ではない。図１０は、実施形態に係る表示ユニットの駆動ユニットの制御部の一例を示すブロック図である。駆動ユニット９は、第一駆動ユニット９１と、第二駆動ユニット９５と、これらを制御する制御部９０とを有する。
【００５８】
第一駆動ユニット９１は、筐体２１の下面２１Ｆの上部で、電子機器１の図示しない基板の下側に配置される。第一駆動ユニット９１は、筐体２１の下面２１Ｆの右側に配置される。第一駆動ユニット９１は、スライダ１１の駆動源である。第一駆動ユニット９１は、モータ９２と、モータ９２によって動作する複数段のギヤ部９３と、ギヤ部９３の最終段と噛み合い、スライダ１１に配置されたラック９４とを有する。第一駆動ユニット９１は、モータ９２を駆動して、ギヤ部９３とラック９４とを介して、スライダ１１をサブパネル２２に対して進退させる。ラック９４は、移動量を検出する第一センサ９４Ｓを有する。第一センサ９４Ｓは、検出結果を制御部９０に出力する。
【００５９】
第二駆動ユニット９５は、筐体２１の下面２１Ｆの上部で、電子機器１の基板の下側に配置される。第二駆動ユニット９５は、筐体２１の下面２１Ｆの左側に配置される。第二駆動ユニット９５は、第一駆動ユニット９１と並んで配置される。なお、第二駆動ユニット９５は、従来、チルト動作用の駆動ユニットが配置されていた部分の隣の空きスペースを使用して配置する。第二駆動ユニット９５は、リフトガイドアーム１９の駆動源である。第二駆動ユニット９５は、モータ９６と、モータ９６によって動作する複数段のギヤ部９７と、左側と右側に配置されたアーム駆動ギヤ部９８と、左側と右側のアーム駆動ギヤ部９８を連結する連結軸９９とを有する。
【００６０】
ギヤ部９７は、モータ９６から出力された駆動力を増幅する。アーム駆動ギヤ部９８は、リフトガイドアーム１９を回動する。アーム駆動ギヤ部９８は、複数段の歯車を含む。アーム駆動ギヤ部９８の初段は、ギヤ部９７の最終段と噛み合う。アーム駆動ギヤ部９８は、移動量を検出する第二センサ９８Ｓを有する。第二センサ９８Ｓは、検出結果を制御部９０に出力する。連結軸９９は、左側のアーム駆動ギヤ部９８に連動して回動して、右側のアーム駆動ギヤ部９８を駆動する。左側のアーム駆動ギヤ部９８と右側のアーム駆動ギヤ部９８とは、同じ方向に同じ角度で回動する。言い換えると、左側のリフトガイドアーム１９と右側のリフトガイドアーム１９とは同じ方向に同じ角度で回動する。
【００６１】
制御部９０は、演算処理を行うＣＰＵ（Ｃｅｎｔｒａｌ  Ｐｒｏｃｅｓｓｉｎｇ  Ｕｎｉｔ）と、プログラムを格納したメモリとを備える。制御部９０は、メモリに記憶したプログラムに基づいて、第一駆動ユニット９１と、第二駆動ユニット９５とを制御する。制御部９０は、第一駆動ユニット９１と第二駆動ユニット９５とを同時に制御することが可能である。制御部９０は、第一センサ９４Ｓから検出結果を取得する。制御部９０は、第二センサ９８Ｓから検出結果を取得する。
【００６２】
制御部９０は、モータ９２の駆動と駆動停止とを制御する制御信号を出力する。例えば、制御部９０は、図９に破線で示すように、パネル枠３２を開く角度に応じて、対応するスライダ１１の移動量だけスライダ１１が移動するように、モータ９２を駆動する制御信号を出力する。制御部９０は、第一センサ９４Ｓの検出結果であるラック９４の移動量に基づいて、スライダ１１の移動量を算出可能である。
【００６３】
制御部９０は、モータ９６の駆動と駆動停止とを制御する制御信号を出力する。例えば、制御部９０は、図９に実線で示すように、パネル枠３２を開く角度に応じて、対応するリフトガイドアーム１９の移動量だけリフトガイドアーム１９が移動するように、モータ９６を駆動する制御信号を出力する。制御部９０は、第二センサ９８Ｓの検出結果であるリフト用スライダの移動量に基づいて、リフトガイドアーム１９の回動量を算出可能である。
【００６４】
制御部９０は、例えば、正立状態のパネル枠３２がクラスタパネル、センターコンソール、インストルメントパネルに対して奥まって配置される場合、図９に一点鎖線で示すように、パネル枠３２を開く前に、スライダ１１を所定距離だけ先方に移動させるように制御信号を出力してもよい。逆チルト動作またはチルト動作の際に、パネル枠３２とクラスタパネル、センターコンソール、インストルメントパネルとが干渉することなく動作させることが可能である。
【００６５】
次に、このように構成された電子機器１の逆チルト動作とチルト動作と作用について説明する。
【００６６】
まず、図３ないし図５を用いて、表示ユニット３の正立状態について説明する。パネル枠３２は、起立している。パネル枠３２は、サブパネル２２に対して閉じた状態である。言い換えると、パネル枠３２は、サブパネル２２の開口に収容される。リフトアーム１２は、ねじりコイルバネによって、軸１２ａを中心に時計回りの回転力が付勢される。リフトアーム１２は、ストッパ３３に接触して、時計回りの回動が規制される。スウィングアーム１３は、ねじりコイルバネによって、軸３２ｂを中心に時計回りの回転力が付勢される。スウィングアーム１３は、パネル枠３２に配置された図示しないストッパに接触して、時計回りの回動が規制される。リフトアーム１２のロック溝１２１にロックスライダ１６の軸１６ａが位置するので、リフトアーム１２の回動が規制される。スウィングアーム１３の軸１３ｂがロックスライダ１６のガイド溝１６１のロック部１６２に位置するので、スウィングアーム１３の回動が規制される。ロックスライダ１６の軸１６ａがリリースアーム１７のガイド溝１７１に位置するので、ロックスライダ１６が位置決めされて上方への移動が規制される。
【００６７】
図１１ないし図１５を用いて、表示ユニット３のチルト動作について説明する。図１１は、実施形態に係る表示ユニットのチルト動作を示す側面図である。図１２は、実施形態に係る表示ユニットのチルト動作を示す側面図である。図１３は、実施形態に係る表示ユニットのチルト動作を示す側面図である。図１４は、実施形態に係る表示ユニットのチルト動作を示す側面図である。図１５は、実施形態に係る表示ユニットのチルト動作を示す側面図である。チルト動作は、表示ユニット３の正立状態から行われる。チルト動作が開始されると、スライダ１１が第一駆動ユニット９１で駆動され、サブパネル２２に対して前進する。
【００６８】
図１１に示す状態は、表示ユニット３がチルト動作をしている状態である。チルト動作は、図３ないし図５に示すように、リフトアーム１２とスウィングアーム１３の回動が規制された状態から動作を開始する。チルト動作においては、リフトアーム１２とスウィングアーム１３とリヤアーム１４とロックスライダ１６とが、パネル枠３２と一体になって移動する。言い換えると、チルト動作において、リフトアーム１２とスウィングアーム１３とリヤアーム１４とロックスライダ１６とは、パネル枠３２に対する姿勢を変えずに移動する。図１１に示す状態は、図３ないし図５に示す状態から、スライダ１１がサブパネル２２に対して前進している。スライダ１１の前進に連動して、軸１３ａがサブパネル２２のガイド溝２３に沿って下方に移動し、軸３２ｂが連結されたスウィングアーム１３の下側の端部が前方に移動する。これらにより、パネル枠３２の上部が下方に移動し、パネル枠３２の下部が前方に移動し、パネル枠３２は、後傾する。
【００６９】
図１２に示す状態は、図１１に示す状態から、スライダ１１がサブパネル２２に対してさらに前進している。軸１６ａは、ガイド溝１７１から離間し、ガイド溝１７１より前方に位置する。スライダ１１の前進に連動して、パネル枠３２の上部がさらに下方に移動し、パネル枠３２の下部がさらに前方に移動し、パネル枠３２は、さらに後傾する。
【００７０】
図１３に示す状態は、図１２に示す状態から、スライダ１１がサブパネル２２に対してさらに前進している。スライダ１１の前進に連動して、パネル枠３２の上部がさらに下方に移動し、パネル枠３２の下部がさらに前方に移動し、パネル枠３２は、さらに後傾する。
【００７１】
図１４に示す状態は、図１３に示す状態から、スライダ１１がサブパネル２２に対してさらに前進している。スライダ１１の前進に連動して、パネル枠３２の上部がさらに下方に移動し、パネル枠３２の下部がさらに前方に移動し、パネル枠３２は、さらに後傾する。
【００７２】
図１５に示す状態は、図１４に示す状態から、スライダ１１がサブパネル２２に対してさらに前進している。スライダ１１の前進に連動して、パネル枠３２の上部がさらに下方に移動し、パネル枠３２の下部がさらに前方に移動し、パネル枠３２は、さらに後傾する。
【００７３】
このようにして、パネル枠３２は、表示面３１を上向きにしたチルト状態になる。パネル枠３２がサブパネル２２に対して開き、チルト動作が完了してフルオープン状態になる。このときの開口高さをＨとする。開口高さＨが大きいほど、メディアスロットに対する操作が容易になる。
【００７４】
このようなチルト動作において、スライダ１１がサブパネル２２に対して前進することで、表示ユニット３が後傾して、チルト動作する。例えば、パネル枠３２は、８０°程度後傾する。
【００７５】
表示ユニット３をチルト状態から正立状態に戻す場合について説明する。スライダ１１を、サブパネル２２に対して後退することで、表示ユニット３が正立状態に戻る。より詳しくは、スライダ１１の後退に連動して、パネル枠３２の下部が後方に引き戻され、パネル枠３２の上部がサブパネル２２のガイド溝２３に沿って上方に移動して、パネル枠３２が閉じられて正立状態に戻る。正立状態に戻るとき、スウィングアーム１３の軸１３ｂがロックスライダ１６のガイド溝１６１のロック部１６２に位置したままであるので、スウィングアーム１３の回動が規制された状態が維持される。これにより、パネル枠３２を閉じる際の反力によってスウィングアーム１３が回動して、スウィングアーム１３とパネル枠３２とが軸３２ｂを支点にして開くことが規制される。これらにより、表示ユニット３をチルト状態から正立状態に戻す場合において、スライダ１１の駆動力のロスを抑制することができる。正立状態に戻ると、ロックスライダ１６の軸１６ａがリリースアーム１７のガイド溝１７１に進入して、ロックスライダ１６の上方への移動が規制される。
【００７６】
図１６ないし図２２を用いて、表示ユニット３の逆チルト動作について説明する。図１６は、実施形態に係る表示ユニットの正立状態を示す側面図である。図１７は、実施形態に係る表示ユニットの逆チルト動作を示す側面図である。図１８は、実施形態に係る表示ユニットの逆チルト動作を示す側面図である。図１９は、実施形態に係る表示ユニットの逆チルト動作を示す側面図である。図２０は、実施形態に係る表示ユニットの逆チルト動作を示す側面図である。図２１は、実施形態に係る表示ユニットの逆チルト動作を示す側面図である。図２２は、実施形態に係る表示ユニットの逆チルト動作を示す側面図である。逆チルト動作は、表示ユニット３の正立状態から開始される。逆チルト動作が開始されると、スライダ１１が第一駆動ユニット９１で駆動され、サブパネル２２に対して後退する。また、リフトガイドアーム１９が第二駆動ユニット９５で駆動され、時計回りに回動する。
【００７７】
図１６に示す状態は、図３ないし図５に示す状態から、リフトアーム１２とスウィングアーム１３の回動規制を解除した状態である。図３ないし図５に示す状態から、リリースアーム１７が軸２１ａを中心に反時計回りに回動している。リリースアーム１７のガイド溝１７１が軸１６ａを押し上げて、ロックスライダ１６が上方に移動する。リフトアーム１２のロック溝１２１からロックスライダ１６の軸１６ａが離間して、リフトアーム１２の回動規制が解除されるとともに、ロックスライダ１６の移動規制が解除される。スウィングアーム１３の軸１３ｂがロックスライダ１６のガイド溝１６１のロック部１６２から外れて、スウィングアーム１３の回動規制が解除される。
【００７８】
図１７に示す状態は、図１６に示す状態から、スライダ１１がサブパネル２２に対して後退している。突起部１２ｂがリフトストッパ１５に接触しているので、リフトアーム１２は、後方への移動が規制される。これにより、スライダ１１の後退に連動して、リフトアーム１２が軸１２ａを中心に反時計回りに回動する。スウィングアーム１３の軸１３ｂがロックスライダ１６のガイド溝１６１から離間する。スライダ１１の後退とパネル枠３２の前傾に連動して、スウィングアーム１３のパネル枠３２に対する姿勢が変化する。ロックスライダ１６の軸１６ａは、リリースアーム１７のカム部１７３に位置している。ロックスライダ１６は、図示しない引張コイルバネによって下方に付勢される。これらにより、ロックスライダ１６は、パネル枠３２の前傾に連動して、カム部１７３にガイドされて下方に移動する。スライダ１１の後退とリフトアーム１２の回動に連動して、パネル枠３２の上部が前方に移動し、パネル枠３２は、軸３２ａを中心に回動して前傾する。また、リフトアーム１２の回動によって、パネル枠３２の下部の軸３２ａが上方に移動する。
【００７９】
図１８、図１９に示す状態は、図１７に示す状態から、スライダ１１がサブパネル２２に対してさらに後退している。スライダ１１の後退に連動して、リフトアーム１２が軸１２ａを中心に反時計回りにさらに回動している。スライダ１１の後退に連動して、スウィングアーム１３が反時計回りにさらに回動している。スライダ１１の後退とパネル枠３２の前傾に連動して、スウィングアーム１３のパネル枠３２に対する姿勢がさらに変化する。ロックスライダ１６は、カム部１７３にガイドされてさらに下方に移動する。ロックスライダ１６は、ストッパ３３に接触している。ロックスライダ１６は、下方への移動が規制される。スライダ１１の後退とリフトアーム１２の回動に連動して、パネル枠３２の上部がさらに前方に移動し、パネル枠３２は、軸３２ａを中心に回動してさらに前傾する。リフトアーム１２の回動によって、パネル枠３２の下部の軸３２ａがさらに上方に移動する。
【００８０】
このようにして、パネル枠３２が所定角度まで逆チルト動作すると、スライダ１１の後退を停止する。また、第二駆動ユニット９５によって、リフトガイドアーム１９を時計回りに回動させる。例えば、所定角度は１０°である。本実施形態では、図１８、図１９に示す状態と、図２０、図２１に示す状態との間で、パネル枠３２が所定角度になるものとする。
【００８１】
図２０、図２１に示す状態は、図１８、図１９に示す状態から、スライダ１１がサブパネル２２に対してさらに後退している。また、リフトガイドアーム１９が第二駆動ユニット９５によって駆動され、軸１１ａを中心に時計回りに回動している。スライダ１１の後退に連動して、リフトアーム１２が軸１２ａを中心に反時計回りに回動している。リフトガイドアーム１９の回動に連動して、ダウンアーム１８が軸１１ａを中心に時計回りに回動している。ダウンアーム１８の回動に連動して、リヤアーム１４の下部が下方に移動する。リヤアーム１４に連結されたスウィングアーム１３は、軸１３ａがサブパネル２２のガイド溝２３に沿って下方に移動する。スウィングアーム１３は、軸１３ａが下方に移動すると、軸３２ｂが連結された側の端部が押し下げられながら前方に移動する。ダウンアーム１８の回動に連動したスウィングアーム１３及びリヤアーム１４の動作に連動して、パネル枠３２は、軸３２ａを中心に回動して、上部が前方に移動し、下部の軸３２ａが下方に移動して、さらに前傾する。
【００８２】
図２２に示す状態は、図２０、図２１に示す状態から、リフトガイドアーム１９が、軸１１ａを中心にさらに時計回りに回動している。ダウンアーム１８が、軸１１ａを中心に時計回りにさらに回動している。ダウンアーム１８の回動に連動して、リヤアーム１４の下部がさらに下方に移動する。スウィングアーム１３は、軸１３ａがサブパネル２２のガイド溝２３に沿ってさらに下方に移動する。スウィングアーム１３は、軸１３ａがさらに下方に移動すると、軸３２ｂが連結された側の端部がさらに押し下げられながら前方に移動する。ダウンアーム１８の回動に連動したスウィングアーム１３及びリヤアーム１４の動作に連動して、パネル枠３２は、軸３２ａを中心にさらに回動して、上部がさらに前方に移動し、下部の軸３２ａがさらに下方に移動して、さらに前傾する。
【００８３】
このようにして、表示ユニット３は、表示面３１を下向きにした逆チルト状態になる。例えば、パネル枠３２は、２０°程度前傾する。
【００８４】
このような逆チルト動作において、正立状態からスライダ１１がサブパネル２２に対して後退すると、リフトストッパ１５に突起部１２ｂが接触してリフトアーム１２の後方への移動が規制される。スライダ１１の後退に連動して、リフトアーム１２が軸１２ａを中心に反時計回りに回動する。リフトアーム１２が反時計回りに回動すると、軸３２ａが上方に移動するので、パネル枠３２は、下部が上方に移動する。パネル枠３２は、軸３２ａを中心に回動して、下部を持ち上げられながら逆チルト動作する。そして、パネル枠３２が所定角度まで逆チルト動作すると、第二駆動ユニット９５によって、リフトガイドアーム１９が時計回りに回動する。リフトガイドアーム１９に連動して、ダウンアーム１８が時計回りに回動する。ダウンアーム１８の回動に連動して動作するスウィングアーム１３とリヤアーム１４とを介して、パネル枠３２は、軸３２ａを中心に回動して、下部を押し下げられながら逆チルト動作する。
【００８５】
このように、逆チルト動作において、パネル枠３２の下部は、パネル枠３２が正立状態から所定角度に達するまで、上方に移動し、所定角度に達した後は、下方に移動する。これにより、パネル枠３２の下部とサブパネル２２の下面との隙間の拡大が低減される。なお、パネル枠３２の下部の下方への移動量は、上方への移動量と同程度以下である。パネル枠３２の下部の上方への移動量は、パネル枠３２の大きさなどによるが２ｍｍ以下が好ましい。
【００８６】
表示ユニット３を逆チルト状態から正立状態に戻す場合について説明する。まず、リフトガイドアーム１９を時計回りに回動して、パネル枠３２を所定角度まで戻した後、スライダ１１をサブパネル２２に対し前進することで、表示ユニット３が正立状態に戻る。より詳しくは、まず、リフトガイドアーム１９を第二駆動ユニット９５によって、軸１１ａを中心に反時計回りに回動させて、ダウンアーム１８を軸１１ａを中心に反時計回りに回動させる。これにより、スウィングアーム１３とリヤアーム１４とを介して、パネル枠３２を所定角度まで閉じる。そして、パネル枠３２が所定角度まで閉じられた後、スライダ１１をサブパネル２２に対して前進させて、リフトアーム１２を軸１２ａを中心に時計回りに回動させる。これらにより、パネル枠３２は起立した姿勢に戻る。このとき、軸１６ａは保持部１７２に位置する。さらに、この状態から、第二駆動ユニット９５によって、リフトガイドアーム１９を反時計回りに回動させることにより、リリースアーム１７を回動させて、ガイド溝１７１の開口を下向きにする。これにより、軸１６ａが押し下げられることで、ロックスライダ１６が下方に移動する。このようにして、パネル枠３２は、正立状態に戻る。また、ロックスライダ１６によって、リフトアーム１２とスウィングアーム１３の回動が規制される。
【００８７】
上述したように、本実施形態は、次のようにして逆チルト動作を行う。正立状態からスライダ１１がサブパネル２２に対して後退する動作に連動して、リフトアーム１２が軸１２ａを中心に反時計回りに回動する。パネル枠３２が軸３２ａを中心に時計回りに回動する。リフトアーム１２の回動によって、パネル枠３２の下部が上方に移動する。パネル枠３２が所定角度まで逆チルト動作すると、第二駆動ユニット９５によって、リフトガイドアーム１９が時計回りに回動して、ダウンアーム１８が時計回りに回動する。ダウンアーム１８の回動に連動して動作するスウィングアーム１３とリヤアーム１４とを介して、軸３２ｂを押し下げられる。パネル枠３２は、下部を押し下げられながら、さらに逆チルト動作する。このようにして、本実施形態は、表示ユニット３を逆チルト動作することができる。
【００８８】
また、本実施形態は、次のようにしてチルト動作を行う。正立状態からスライダ１１がサブパネル２２に対して前進する動作に連動して、軸１３ａがサブパネル２２のガイド溝２３に沿って下方に移動し、軸３２ｂが連結されたスウィングアーム１３の端部が前方に移動する。このようにして、表示ユニット３が後傾しながら、チルト動作する。本実施形態は、表示ユニット３をチルト動作することができる。
【００８９】
本実施形態において、逆チルト動作時、パネル枠３２の下部は、パネル枠３２が正立状態から所定角度に達するまで、上方に移動し、所定角度に達した後は、下方に移動する。本実施形態によれば、パネル枠３２の下部とサブパネル２２の下面との隙間を低減することができる。本実施形態によれば、隙間から電子機器１の内部の構造が見えないようにすることができる。また、本実施形態は、隙間に、埃の進入や、手指のような異物を挟み込むことを抑制することができる。さらに、本実施形態によれば、表示ユニット３が車室のセンターコンソール、インストルメントパネルなどに干渉することなく、表示ユニット３を逆チルト動作させることができる。
【００９０】
本実施形態は、リフトアーム１２の回動によって表示ユニット３を逆チルト動作させた後、さらに、ダウンアーム１８の回動によって表示ユニット３をさらに逆チルト動作させる。本実施形態によれば、逆チルト動作によるパネル枠３２の角度を大きくすることができる。
【００９１】
さて、これまで本発明に係る電子機器１について説明したが、上述した実施形態以外にも種々の異なる形態にて実施されてよいものである。
【００９２】
表示パネル駆動機構１０の構成に合わせて、駆動ユニット９は、配置を変更してもよい。図２３、図２４に示すように、駆動ユニット９Ａは、表示パネル駆動機構１０と異なる構成の表示パネル駆動機構に合わせて配置されている。図２３は、実施形態に係る表示ユニットの駆動ユニットの他の例を示す斜視図である。図２４は、実施形態に係る表示ユニットの駆動ユニットの他の例を示す斜視図である。より詳しくは、第二駆動ユニット９５Ａのアーム駆動ギヤ部９８Ａ及び連結軸９９Ａの配置位置が、図６に示した駆動ユニット９と異なる。
【符号の説明】
【００９３】
１        電子機器
１０      表示パネル駆動機構
１１      スライダ（スライダ部材、チルト機構）
１１ａ    軸（第三軸）
１２      リフトアーム（第一可動部材）
１２ａ    軸（第一軸）
１２ｂ    突起部
１３      スウィングアーム（第二連結部材）
１３ａ    軸（第五軸）
１３ｂ    軸
１４      リヤアーム（第一連結部材）
１５      リフトストッパ（ストッパ部材）
１６      ロックスライダ（ロック部材）
１６ａ    軸
１７      リリースアーム（リリース部材）
１７ａ    軸
１８      ダウンアーム（第二可動部材）
１８ａ    軸（第四軸）
１８ｂ    軸
１９      リフトガイドアーム（逆チルト機構）
１９１    ガイド溝
１９２    保持部
２        読取ユニット
２１      筐体
２１ａ    軸
２２      サブパネル（電子機器本体の表面）
２３      ガイド溝
３        表示ユニット
３１      表示面
３２      パネル枠
３２ａ    軸（第二軸）
３２ｂ    軸（第六軸）
９        駆動ユニット
９０      制御部
９１      第一駆動ユニット
９５      第二駆動ユニット
【図１】
2020024295.tif 000003
【図２】
2020024295.tif 000004
【図３】
2020024295.tif 000005
【図４】
2020024295.tif 000006
【図５】
2020024295.tif 000007
【図６】
2020024295.tif 000008
【図７】
2020024295.tif 000009
【図８】
2020024295.tif 000010
【図９】
2020024295.tif 000011
【図１０】
2020024295.tif 000012
【図１１】
2020024295.tif 000013
【図１２】
2020024295.tif 000014
【図１３】
2020024295.tif 000015
【図１４】
2020024295.tif 000016
【図１５】
2020024295.tif 000017
【図１６】
2020024295.tif 000018
【図１７】
2020024295.tif 000019
【図１８】
2020024295.tif 000020
【図１９】
2020024295.tif 000021
【図２０】
2020024295.tif 000022
【図２１】
2020024295.tif 000023
【図２２】
2020024295.tif 000024
【図２３】
2020024295.tif 000025
【図２４】
2020024295.tif 000026